(57)【要約】    【課題】  モグラに感づかれないように、畑の土と一体化する捕獲器を畑のモグラ道に接続して埋設し、確実に捕獲すると共に、捕獲の成否の確認が容易で、捕獲後の処理が簡単なモグラ捕獲器を安価に提供する。    【解決手段】  合成樹脂製網状パイプに合成樹脂製ストランドを螺旋状に巻付けてなる筒状のケ−ス本体の入口付近に靴べら状逆止扉を取り付け、出口に、金属製補強具を取り付け、穴を開けた合成樹脂製蓋を備えるのである。  また、金属製補強具を中央に配した連結具で、合成樹脂製網状パイプから成るケ−ス本体を連結し、双方向用モグラ捕獲器を形成するのである。    【選択図】  図２
2006254898.tif 000002
【特許請求の範囲】
【請求項１】
合成樹脂製網状パイプに合成樹脂製ストランドを螺旋状に巻付けてなる筒状のケ−ス本体の入口付近に靴べら状逆止扉を取り付け、出口に、金属製補強具を取り付け、穴を開けた合成樹脂製蓋を備えたモグラ捕獲器。
【請求項２】
中央に穴を有する金属製補強具を取り付けた、合成樹脂製の筒状連結具に、合成樹脂製網状パイプに合成樹脂製ストランドを螺旋状に巻付け、両端部付近に靴べら状逆止扉を取り付けた筒状のケ−ス本体を嵌合した双方向用モグラ捕獲器。  
【請求項３】
靴べら状逆止扉を支承する弾性部材を内装した請求項１及び２記載のモグラ捕獲器。
【請求項４】
合成樹脂製網状パイプに合成樹脂製ストランドを螺旋状に巻付けてなる筒状のケ−ス本体の入口付近に靴べら状逆止扉を取り付け、逆止扉を支承する弾性部材を内装し、出口を網で覆ってリング部材で止着したモグラ捕獲器。
【発明の詳細な説明】
【技術分野】
【０００１】
本発明は、モグラの通過する穴（モグラ穴）に仕掛けて生け捕りするモグラ捕獲器に関するものである。
【背景技術】
【０００２】
【特許文献１】特開２００３−１１６４４４号公報
【発明の開示】
【発明が解決しようとする課題】
【０００３】
モグラは主に農地において繁殖し、有益虫であるミミズを主食としている。又土中に多数通過穴を掘る際、農作物の根を傷め被害を与える等して、農地を荒らしている。
【０００４】
そこでモグラを駆除するための種々の捕獲器が考案されている、その中でも、土中に埋設してモグラを生け捕りにする捕獲器として、特開２００３−１１６４４４号公報に記載された発明、実用新案登録第３０９０４９３号公報に記載された考案がある。
【０００５】
モグラはミミズをおびき寄せる縦穴を所々に形成しながら、通路となる横穴を土中に掘る。前記捕獲器はこの横穴に接続して設置される。ところが野生動物特有の習性からモグラは少しでも異変を感じると仕掛けに容易に近づかず、新たな通路を設けてそちらへ逃げてしまうおそれがある。そこで、モグラ穴に設置する捕獲器には、モグラに仕掛けを察知されないような工夫を施していることが必須条件である。
【０００６】
又、土中に埋設するため、捕獲器全体を掘り起こさなくてもモグラの捕獲の成否を確認できることも重要となる。捕獲したモグラを長時間放置すると、ファミリ−を形成する他のモグラが死臭等の異常に感づき、そのモグラ穴を二度と通過することがなく、一網打尽にモグラを駆逐できなくなるからである。
【０００７】
ところで、文献１のモグラ捕獲器１は図１に示すように硬質の網製ケ−ス本体２からなり、両開口部に設けられたシャッタ−手段３−３に取り付けたバネ４−４の力によりガイド板５−５間で蓋体６−６が閉蓋側へと移動するものである。  モグラの侵入によってバネ等の仕掛けを作動させる捕獲器は土中埋設時に土砂の流入により仕掛けがうまく作動せずに閉蓋ができず、モグラを取り逃がすことが多かった。引用発明では土砂によってシャッタ手段の作動が妨げられないようガイド板３−３が設けられているが、全体として大がかりな装置となっており、土中へ埋設するのが容易でない。又、細かい砂がガイド板間に流入すれば、シャッタ手段が機能しない。
【０００８】
又、構成が複雑でコスト高となり、畑に無数に存在するモグラ道の数箇所に設置する必要がある捕獲器としてはこれを多数購入することは困難である。
【０００９】
文献２記載の考案は上部にモグラ取り出し用開閉扉を設けた逆止扉を有する、ビニル管等からなる円筒状の捕獲器である。
【００１０】
筒体内部底面にやすり等で加工した粗面部を設けてモグラの足が滑らないように工夫されているが、粗面部自体が人工的なものであるため、その異常に気づいたモグラが筒内への侵入を途中でやめるおそれがある。又、モグラ捕獲の成否を捕獲器上部の開閉扉を開けて確認、捕獲したモグラを当該開閉扉から容易に取り出すことができるとしている。しかし、人間が捕獲器内に手を差し入れてモグラを取り出すにはある程度の大きさの開閉扉が必要であり、この扉を開閉するためにはかなりの量の土を取り除く必要があり、面倒である。又、この時、開閉扉から、モグラが逃げるおそれもある。
【００１１】
そこで、本発明では、捕獲器の存在に気づかれないような工夫を施し得る構成とすると共に、侵入時にモグラの足が滑らず、確実に捕獲すると共に、捕獲の成否を容易に判断でき、更に捕獲したモグラの処理が容易な優れたモグラ捕獲器を提供することを目的とするのである。  
【課題を解決するための手段】
【００１２】
請求項１記載の発明は合成樹脂製網状パイプに合成樹脂製ストランドを螺旋状に巻付けてなる筒状の本体ケ−スの入口付近に靴べら状逆止扉を取り付け、金属製補強具を取り付け、穴を開けた合成樹脂製蓋を出口に嵌合してモグラ捕獲器を形成するのである。
【００１３】
請求項２記載の発明は中央に穴を有する金属製補強具を取り付けた合成樹脂製の筒状連結具の両端部に、合成樹脂製網状パイプに合成樹脂製ストランドを螺旋状に巻付け、両端部付近に靴べら状逆止扉を取り付けた筒状の本体ケ−スを嵌合し、双方向用モグラ捕獲器を形成するのである。
【００１４】
請求項３記載の発明は、靴べら状逆止扉を支承する部材を請求項１及び２記載のモグラ捕獲器内に内装するのである。
【００１５】
請求項４記載の発明は、合成樹脂製網状パイプに合成樹脂製ストランドを螺旋状に巻付けてなる筒状の本体ケ−スの入口付近に靴べら状逆止扉を取り付けて支承部材で支承し、出口を覆う網を止着するリング部材を本体ケ−スに嵌合してモグラ捕獲器を形成するのである。
【発明の効果】
【００１６】
市販されている、網状の吸、排水用パイプを使用して製造するため、強度に優れ、土中への埋設に適していると共に、畑の吸排水を妨げることない。
【００１７】
安価に製造できるため、畑のモグラ道の複数箇所に埋設することが必要となる捕獲器を多数購入可能である。
【００１８】
縦方向に長楕円となり、横方向の径はケ−ス本体の内径より小さい、靴べら状の逆止扉を取り付けたため、逆止扉が筒体内面に引っ掛からずに作動容易であり、凸面を進行方向に向けて斜めに取り付けるため、モグラの身体に沿ってスム−ズに作動し、モグラ侵入後は扉は開かない。
【００１９】
全体が網状であるため、上部に堆積した少量の土を取り除くだけで、モグラの捕獲の成否の確認が容易である。又、捕獲後はそのまま水中に沈めて捕獲したモグラの処理を容易に行うことができる。
【００２０】
逆止扉をバネ等の部材で支承したため、モグラが警戒心を抱かず侵入し、長い脚を有する部材の先端にモグラが衝突するため、モグラが捕獲器の奥に進むまで逆止扉が落下せず、扉の落下途中でモグラが逃げることができない。
【００２１】
出口を網状にしたため、通気性に優れ、捕獲器を埋設する土中の土質保全を図ることができる。
【発明を実施するための最良の形態】
【００２２】
図２が請求項１記載のモグラ捕獲器７の一部省略正面図である。
【００２３】
モグラ捕獲器７は筒状の本体ケ−ス８と蓋１２から構成される。
【００２４】
本体ケ−ス８は直径５ｃｍ、長さ３０ｃｍ程度の筒体であって、合成樹脂製網状管に、合成樹脂製補強用ストランドを螺旋状に胴巻着させてなるものである。  この網状管は、主として地中に埋設され吸水と排水を目的として利用される排水管であって、吸排水に適した特殊な編み目状を有し、且つ土圧に耐え得る強度を備えるように、補強ストランドを螺旋状に胴巻着したものであり、吸排水用パイプとして広く市販されているものを使用する。
【００２５】
パイプの出口となる端部８ａには合成樹脂製の蓋体１２を嵌合する。蓋体１２には内側に明かり穴１６を設けると共に金属製の補強具１７（図４）を取り付ける。モグラは視力が悪く、殆ど目が見えない状態であるが、僅かに明暗は識別でき、本体ケ−ス内に侵入したモグラをケ−ス奥の明るい方向へとおびき寄せると共に、前足や口で蓋体１２を破って逃走するのを防ぐためである。
【００２６】
本体ケ−ス７の中には入口から３、４ｃｍのところに、靴べら状の逆止扉１３を吊り下げる。モグラの全長がケ−ス内に侵入したところで逆止扉を作動させるためである。逆止扉１３の上方に設けた穴１５−１５に紐や針金、或はナイロン製の糸等を挿通して、本体ケ−ス７に吊り下げるのである。逆止扉１３は縦方向に長い長楕円の靴べら状であり、硬質合成樹脂材製である。横方向は本体ケ−ス７の内径よりも小さめに形成し、縦方向に長めに形成し、凸部を進行方向に向けて斜めに設置する。横の径を小さく形成したので、作動の際にケ−スの内側に引っ掛かることがなく、又、モグラの流線型の頭や身体の進行方向に添って逆止扉１３がスム−ズに動く。逆止扉１３をくぐって一旦、ケ−ス内に侵入したモグラは異変に気づいても、逆止扉がケ−ス本体の内底面に引っ掛かって逆戻りせず、モグラの逃走を許さない仕掛けである。
【００２７】
又、地中に埋設時に上下がわかるように、シ−ル１６を上方に貼付しておくと便利である。
【００２８】
次に、本発明に係る捕獲器の実際の使用方法について説明する。
【００２９】
まず、捕獲器を仕掛ける畑等の土を採取し、水と併せて粘土状に捏ねる。この土を、捕獲器の表面に塗布するのである。従来のビニルパイプ製等の捕獲器では、表面が滑ってこの土をうまく塗布できず、又、塗布できても、時間と共に剥れ落ち、うまく保持することができなかった。本願発明の捕獲器は網状であるため、粘土を塗布し易い上に、良くこれを保持し、剥れない。又、網状パイプに、紐状の合成樹脂を螺旋状に巻付けたため、ここに生じる溝にも粘土が入り込み、更に塗布、保持が容易である。このように、生息地の畑の土を塗布することで、捕獲器の人工的な臭いや触感を可及的に消すことができ、臆病なモグラの警戒心を解き、捕獲器の存在に気付かれることがないのである。
【００３０】
このようにして準備した捕獲器７を畑の土が盛り上がった、モグラ道と思われるモグラトンネルの途中を掘り、捕獲器を接続、埋設するのである。
【００３１】
土中に埋設する時に、本体ケ−ス内にも土砂が流入するが、モグラは自分の通路を塞がれると、土を取り除こうと手で掻き分けて進む習性があり、これを利用して更にモグラをケ−ス内部へとおびき寄せるのである。
【００３２】
又、捕獲器が網状の筒体から形成されているため、モグラの足が滑ることなく内部へと進むことができ、開閉がスム−ズな逆止扉を開けてモグラが本体ケ−ス奥へと侵入すると逆止扉が閉まり、後戻りしようとしても逆止扉がケ−ス底面に引っ掛かって中からは開閉せず、モグラは後戻りすることができない。進行方向の蓋体に設けた穴から明暗を感じ取ったモグラは更にケ−ス奥へと進む。ところが、出口は蓋体で遮断されており、蓋体を破って脱出を試みても、蓋体内部底面には金属製の補強具が嵌合されているため、これを破ることができず、モグラは本体ケ−ス内部に閉じ込められるのである。
【００３３】
モグラ捕獲の成否は捕獲器の上部の土を少量取り除いて網状ケ−ス内の音や気配で確認、或は視認可能である。捕獲後は開口部を板等で押さえて捕獲器を掘り出し、モグラを開口部から取り出す、或は、網状ケ−スをそのまま水中へ沈めて処理することができる。
【００３４】
ところで、モグラ道の進行方向がわからないときは双方向から進むモグラをとらえる必要がある。請求項２に記載した連結具２４は、双方向に使用するモグラ捕獲器２３に取り付けられる。
【００３５】
図６に示すように、請求項１に記載したモグラ捕獲器の蓋体に使用した、合成樹脂製の筒体２４−２４を二つ嵌合する、或はビニル製のテ−プ等を貼着して連結する。この時、連結部２３ａには金属製のはしご状の補強具２５を嵌め込む。補強具２５には穴２５ａが開いており、モグラをおびき寄せる明かり穴となる。連結具の各端部２４ｂ−２４ｂ付近には内部に突起２６−２６を形成する。連結具２３の両端部に網状本体ケ−ス２７−２７を嵌合し、モグラ道に埋設、設置するのである。埋設前に畑の土と水とを混ぜて粘土状に捏ね合わせ、捕獲器２３全体に塗布し、捕獲器の人工的な臭い等を消し、モグラに気づかれないように工夫を施す。本体ケ−ス２７が網状管であるため土を良く塗布でき、又これを良く保持する。
【００３６】
本体ケ−ス２７−２７にはそれぞれの開口部２４ａ−２４ａから３、４ｃｍのところに、靴べら状の逆止扉が取り付けられている。（図示せず）これで、モグラがモグラ道の矢印Ａ方向、Ｂ方向から来てもモグラを本体ケ−ス２７−２７内に誘導、確実に捕獲することができるのである。
【００３７】
本願発明の捕獲器はモグラに感付かれないようにモグラ道に設置できるため、えさ等を投入する必要がないが、捕獲効率を上げるために、図５に示すような生きたミミズ２２を投入した小型のプラスチックケ−ス２１に、無数の穴２０を有する蓋１９を被せたえさ入れを網状ケ−ス本体に投入してミミズの臭いでモグラをおびき寄せることもできる。
【００３８】
えさ入れの他の実施形態としては図７に示すようなものがある。
【００３９】
空のペットボトル２８を良く洗浄し、中に生きたミミズを投入し、モグラ捕獲器の構成部品である蓋体３１の穴３１ａにペットボトル２８の飲み口２９を挿入する。次に、蓋体３１の内側から、多数の小穴（図示せず）を開けたキャップ３０を飲み口２９に螺合するのである。こうしてえさ入れを取り付けた蓋体３１を網状モグラ捕獲器に嵌合し、これを上述のようにモグラ道に接続、埋設するのである。
【００４０】
次に請求項３記載のバネを内装したモグラ捕獲器の実施状態を説明する（図８）。本体ケ−ス３３の出口に蓋３５を嵌合したモグラ捕獲器３２の入口付近に靴べら状逆止扉３４を取り付ける。二本の長い脚を有するＵ字形極細のバネ３７の曲線部から本体ケ−ス３３内に挿入し（図８ｂ）、上側の脚３７ａで逆止扉３４を押しあげながら（図８ｂ）バネ３７を奥まで進める（図８ｃ）。逆止扉３４が上方に押し上げられているためモグラは警戒心を起こすことなく捕獲器３２内へ侵入し、逆戻りできなくなる位奥まで進んだところでモグラ３６はバネ３７に衝突し、前へ進もうとする習性に従い前進するとバネが外れて逆止扉３４が落下して入口が塞がれ、モグラが捕獲されるのである（図８ｄ）。
【００４１】
モグラが捕獲器奥まで侵入するように長い脚を有するバネであれば、二脚である必要はなく、図９に示すように、モグラの胴回りより小さい径を有する円形の針金３８に極細の針金からなる三本の脚３９を取り付けた弾性を有する逆止扉支承部材４０を内装することも可能である。上方に取り付けた二本の脚で逆止扉を支えるため捕獲器内へのセットが容易である。このように弾性の支承部材の脚数は二本以上であれば良く、脚数を限定するものではない。又、錆防止のためステンレス製が望ましいが、他の素材の使用も可能である。
【００４２】
又、図９、４２で示すＵ字型バネのように短い脚を有する逆止扉支承部材は、捕獲器の開口部から手を差し入れてセットしやすく、使い勝手が良い。
【００４３】
図１０は請求項４記載のモグラ捕獲器の正面図である。
【００４４】
合成樹脂製網状パイプに合成樹脂製ストランドを螺旋状に巻付けてなる筒状の本体ケ−スの入口付近に靴べら状逆止扉を取り付けて弾性支承部材（例えばバネ）で支承する構成は、請求項２記載の捕獲器と同様である。
【００４５】
金属製補強具を取り付け、穴を開けた合成樹脂製蓋を出口に嵌合する代わりに、モグラ捕獲器４２の出口を捕獲器の径より二回り程大きく切った網４３で覆い、リング部材４４を嵌合して網４３をモグラ捕獲器４２の出口に止着するのである。捕獲器の出口に金属製補強具を取り付け、穴を開けた合成樹脂製蓋を備えるよりも出口を網で覆うほうが通気性に優れるため土中の通気性を確保でき、捕獲器を埋設する畑等の土質保全を図ることができるのである。
【００４６】
また、図面で示さないが、請求項２記載の双方向用モグラ捕獲器の筒状連結具の中央部に網を設けることも可能である。連結部に網を使用することで土中の通気性を確保できるのである。
【産業上の利用可能性】
【００４７】
本願発明はモグラ捕獲器に利用することができる。
【図面の簡単な説明】
【００４８】
【図１】従来の捕獲器の斜視図。
【図２】請求項１記載の捕獲器の一部省略正面図。
【図３】逆止扉を示す説明図。
【図４】蓋体の正面図。
【図５】えさ収納容器の説明図。
【図６】請求項２記載の捕獲器の連結具の斜視図。
【図７】他のえさ収納容器の説明図。
【図８】請求項３記載のバネを内装したモグラ捕獲器の使用状態の説明図。
【図９】他の形態を有するバネの使用状態の説明図。
【図１０】請求項４記載のモグラ捕獲器の右側面図。
【符号の説明】
【００４９】
７、２３、３２、４１、４３、モグラ捕獲器    ８、２７、３３、本体ケ−ス    １２、３５、蓋体    １３、３４、逆止扉    １７、２５、補強具    ２４、連結具    ３７、４０、４２、バネ      ４４、網    ４５、リング部材  
【図１】
2006254898.tif 000003
【図２】
2006254898.tif 000004
【図３】
2006254898.tif 000005
【図４】
2006254898.tif 000006
【図５】
2006254898.tif 000007
【図６】
2006254898.tif 000008
【図７】
2006254898.tif 000009
【図８】
2006254898.tif 000010
【図９】
2006254898.tif 000011
【図１０】
2006254898.tif 000012